(57)【要約】      （修正有）【課題】ヘルメットを装着した作業者の位置を、前方以外の方向からも簡単に確認することができるライト固定バンドを提供する。【解決手段】ライト固定バンド１は、ヘルメット６の外周面６１に沿ってヘルメット６に装着され、ヘッドライト７を係止することにより、ヘッドライト７をヘルメット６に固定するものである。ライト固定バンド１は、その長さ方向に伸縮自在であり、ヘルメット６に接触する接触面に滑り防止素材を有したバンド本体２と、バンド本体２の長さ方向に沿って配置された複数の発光体３と、を備えている。【選択図】図３
0003204166.tif 000002
【実用新案登録請求の範囲】
【請求項１】
ヘルメットの外周面に沿って前記ヘルメットに装着され、ヘッドライトを係止することにより、前記ヘッドライトを前記ヘルメットに固定するライト固定バンドであって、
前記ライト固定バンドは、その長さ方向に伸縮自在であり、前記ヘルメットに接触する接触面に滑り防止素材を有したバンド本体と、
前記バンド本体の長さ方向に沿って配置された複数の発光体と、を備えていることを特徴とするライト固定バンド。
【請求項２】
前記バンド本体には、前記各発光体に接続された配線が配置されており、各配線は、前記バンド本体の長さ方向に沿って弛み代を有することを特徴とする請求項１に記載のライト固定バンド。
【請求項３】
前記バンド本体の両端には、前記ヘッドライトの両側から前記ヘッドライトを係止する係止部が形成されており、
前記バンド本体には、前記配線を介して各発光体に電力を供給する電源部が配置されており、
前記電源部から前記バンド本体の両端に向かって、前記複数の発光体が配置されていることを特徴とする請求項２に記載のライト固定バンド。
【請求項４】
前記発光体は、ＬＥＤ光源であることを特徴とする請求項１〜３のいずれか一項に記載のライト固定バンド。
【考案の詳細な説明】
【技術分野】
【０００１】
本考案は、ヘルメットの外周面に沿ってヘルメットに装着され、ヘッドライトを係止することにより、ヘッドライトをヘルメットに固定するライト固定バンドに関する。
【背景技術】
【０００２】
従来から、ヘルメットの前方の視野を確認すべく、ヘルメットの前面にヘッドライトが取付けられる。ヘルメットにヘッドライトを取付ける（固定する）際には、ライト固定バンドが用いられる。
【０００３】
このような技術として、例えば、特許文献１には、ヘルメットの外周面に沿ってヘルメットに装着されるライト固定バンドが開示されている。このライト固定バンドは、伸縮自在な材質からなり、その両端には、ヘッドライトの両側からヘッドライトを係止する係止部が形成されている。
【０００４】
このライト固定バンドによれば、ライト固定バンドの両端に形成された係止部にヘッドライトを取付けた状態で、ライト固定バンドをヘルメットの外周面に沿って装着し、ヘルメットにライトを固定することができる。
【先行技術文献】
【特許文献】
【０００５】
【特許文献１】実用新案登録第３１６９６５０号公報
【考案の概要】
【考案が解決しようとする課題】
【０００６】
しかしながら、ヘルメットに固定されたヘッドライトは、ヘルメットの前方を照射するため、暗所においてヘルメットを装着した作業者の前方から、作業者の位置を確認することができるが、作業者の側方および後方から作業者の位置を確認することは難しい。
【０００７】
本考案は、このような点を鑑みてなされたものであり、その目的とするところは、ヘルメットを装着した作業者の位置を、前方以外の方向からも簡単に確認することができるライト固定バンドを提供することにある。
【課題を解決するための手段】
【０００８】
本考案は、前記課題を解決するためになされたものであり、本考案に係るライト固定バンドは、ヘルメットの外周面に沿って前記ヘルメットに装着され、ヘッドライトを係止することにより、前記ヘッドライトを前記ヘルメットに固定するライト固定バンドであって、前記ライト固定バンドは、その長さ方向に伸縮自在であり、前記ヘルメットに接触する接触面に滑り防止素材を有したバンド本体と、前記バンド本体の長さ方向に沿って配置された複数の発光体と、を備えていることを特徴とする。
【０００９】
本考案によれば、ライト固定バンドのバンド本体は、その長さ方向に伸縮自在であるため、バンド本体をその長さ方向に沿って伸ばして、ヘルメットに装着することができる。ヘルメットに装着されたライト固定バンドは、伸ばしたバンド本体が縮むことにより、ヘルメットを外側から締め付ける。ここで、バンド本体は、ヘルメットに接触する接触面に滑り防止素材を有しているため、バンド本体とヘルメットのグリップ力（摩擦力）を高めることができる。この結果、ライト固定バンドおよびこれに係止されたヘッドライトをヘルメットに安定して装着することができる。
【００１０】
ライト固定用バンドには、バンド本体の長さ方向に沿って、複数の発光体が配置されているので、ヘルメットにライト固定バンドを装着した状態で、ヘルメットの前面以外の位置に、発光体を配置することができる。この発光体により、ヘルメットを装着した作業者の位置を、前方以外の方向からも簡単に確認することができる。
【００１１】
より好ましい態様としては、前記バンド本体には、前記各発光体に接続された配線が配置されており、各配線は、前記バンド本体の長さ方向に沿って弛み代を有する。
【００１２】
この態様によれば、各発光体に接続される配線が、バンド本体の長さ方向に沿って、弛み代を有するので、ライト固定バンドをヘルメットに装着する際に、バンド本体の長さ方向の沿った伸びに合わせて、弛んだ配線が伸びる。これにより、ライト固定バンドの装着時に配線に作用する負担を低減し、配線の断線を防止することができる。
【００１３】
さらに好ましい態様としては、前記バンド本体の両端には、前記ヘッドライトの両側から前記ヘッドライトを係止する係止部が形成されており、前記バンド本体には、前記配線を介して各発光体に電力を供給する電源部が配置されており、前記電源部から前記バンド本体の両端に向かって、前記複数の発光体が配置されている。
【００１４】
この態様によれば、バンド本体の両端に形成された係止部で、ヘッドライトを両側から係止することができる。また、ライト固定バンドの両端に向かって配置された複数の発光体に、電源部から電力を供給することができる。
【００１５】
さらに好ましい態様としては、前記発光体は、ＬＥＤ光源である。この態様によれば、発光体をＬＥＤ光源にすることにより、発光体に供給する電力を低減することができる。
【考案の効果】
【００１６】
本考案によれば、ヘルメットを装着した作業者の位置を、前方以外の方向からも簡単に確認することができる。
【図面の簡単な説明】
【００１７】
【図１】本考案の第１実施形態に係るライト固定バンドの模式的斜視図である。
【図２】（ａ）は、図１に示すライト固定バンドの発光体の取付け状態を説明するための模式的斜視図であり、（ｂ）および（ｃ）は、（ａ）に示す発光体の取付け状態の変形例を示した図である。
【図３】図１に示すライト固定バンドをヘルメットに装着した状態を示した模式的斜視図である。
【図４】本考案の第２実施形態に係るライト固定バンドの模式的斜視図である。
【図５】（ａ）は、図４に示すライト固定バンドの発光体の取付け状態を説明するための模式的斜視図であり、（ｂ）は、（ａ）に示す発光体の取付け状態の変形例を示した図である。
【図６】図４に示すライト固定バンドをヘルメットに装着した状態を示した模式的斜視図である。
【考案を実施するための形態】
【００１８】
以下に、図１〜図６を参照しながら、本考案に係るライト固定バンドの２つの実施形態を説明する。
〔第１実施形態〕
図１は、本考案の第１実施形態に係るライト固定バンド１の模式的斜視図である。図２（ａ）は、図１に示すライト固定バンド１の発光体３の取付け状態を説明するための模式的斜視図であり、図２（ｂ）および図２（ｃ）は、図２（ａ）に示す発光体３の取付け状態の変形例を示した図である。図３は、図１に示すライト固定バンド１をヘルメット６に装着した状態を示した模式的斜視図である。
【００１９】
本実施形態に係るライト固定バンド１は、ヘルメット６の外周面６１に沿ってヘルメット６に装着されるバンドであり、ヘッドライト７を係止することにより、ヘッドライト７をヘルメット６に固定するものである（例えば図３参照）。なお、ヘッドライト７は、光源７１を有しており、光源７１を備えた本体７２は、取付け具７３に対して上下方向に回動可能である。
【００２０】
図１に示すように、本実施形態では、ライト固定バンド１は、バンド本体２と、バンド本体２に取付けられた複数の発光体３と、配線４を介して発光体３に電力を供給する電源部５とを備えている。
【００２１】
図２（ａ）に示すように、バンド本体２は、ライト固定バンド１の長さ方向に伸縮自在であり、２つの帯状部材２１，２２により構成されている。２つの帯状部材２１，２２は、これらの間に発光体３および配線４を収容した状態で、接合されている。
【００２２】
より具体的には、発光体３および配線４は、２つの帯状部材２１，２２で挟み込むことにより、その位置が固定されており、いずれの帯状部材２１，２２に対しても直接的に固定されていない。また、本実施形態では、２つの帯状部材２１，２２は、その長さ方向の縁部に沿って縫合されているが、たとえば、これらが縁部に沿って溶着または接着されていてもよい。
【００２３】
図１に示すように、バンド本体２は、その両端に、ヘッドライト７の両側からヘッドライト７の係止爪７４に係止する係止部２３，２４が形成されている。本実施形態では、一方の係止部２３は、ヘッドライト７の取付け具７３の形成された係止爪７４に係止するように、その端部をリング状に成形した部分である。他方の係止部２４は、バンド本体２の端部を長さ調整具２５に取付けることにより、リング状に成形された部分である。また、長さ調整具２５により、ヘルメット６を周回するバンド本体２の長さを調整することができる。
【００２４】
ここで、バンド本体２の２つの帯状部材２１，２２のうち、一方の帯状部材２１は、ライト固定バンド１を装着時に、ヘルメット６の外周面６１に接触する接触面２ａを有している。一方の帯状部材２１は、ヘルメット６に対して、バンド本体２の滑りを防止する滑り防止素材からなる。具体的には、一方の帯状部材２１は、ゴム、ウレタンなどの伸縮性を有した素材からなる。より好ましい素材としては、発泡ポリウレタン（ウレタンフォーム）の芯材に、ナイロンおよびポリウレタン等の樹脂皮膜がされた複合材である。
【００２５】
２つの帯状部材２２のうち、他方の帯状部材２２は、ライト固定バンド１を装着時に、ヘッドライト７の外側に配置される露出面２ｂを有している。他方の帯状部材２２は、発光体３の発光する光を透過可能な素材からなり、バンド本体２に対して伸縮性を付与することができる素材であれば、特に限定されない。このような素材としては、たとえば、シリコンラバーや、ナイロン、ポリウレタン等の編物などを挙げることができる。
【００２６】
図１に示すように、複数の発光体３は、バンド本体２の長さ方向に沿って配置されている。本実施形態では、各発光体３は、ＬＥＤ光源であるが、例えば白熱電球などの光源であってもよい。各発光体３は、配線４を介して電源部５に接続されている。なお、発光体３の点灯および消灯は、電源部５からの信号により制御される。発光体３は、電源部５が供給する電流を制御することにより、連続して点灯してもよく、点滅してもよい。
【００２７】
電源部５は、バンド本体２の中央に配置されており、複数の発光体３は、電源部５からバンド本体２の両端に向かって直列に配置されている。このように構成することにより、１つの電源部５で、バンド本体２の両側に配置された複数の発光体３に電力を供給することができる。
【００２８】
さらに本実施形態では、電源部５と発光体３を接続する配線４、および発光体３，３同士を接続する配線４は、バンド本体２の長さ方向に沿って弛み代を有している。より具体的には、各配線４には、バンド本体２の長さ方向に対して曲がった曲がり部４１が形成されている。
【００２９】
このように構成されたライト固定バンド１をヘルメット６に装着する作業を、以下に説明する。まず、図１に示すように、長さ調整具２５で、ヘルメット６の外周長さよりも短い長さとなるように、バンド本体２がヘルメットに接触する長さを調整する。
【００３０】
次に、バンド本体２の両端に形成された係止部２３，２４を、ヘッドライト７の両側からヘッドライト７の係止爪７４，７４に係止する。これにより、ライト固定バンド１にヘッドライト７を取付けることができ、ライト固定バンド１とヘッドライト７によりループ形状を形成することができる。
【００３１】
次に、図３に示すように、ヘッドライト７に取付けられた状態のライト固定バンド１を、ヘルメット６の外周面６１に沿って装着する。バンド本体２は、その長さ方向に伸縮自在であるため、バンド本体２をその長さ方向に沿って伸ばして、ヘルメット６に装着する。
【００３２】
ここで、各発光体３に接続される配線４は、バンド本体２の長さ方向に沿って、曲がり部４１による弛み代を有している。これにより、バンド本体２の長さ方向の沿った伸びに合わせて、弛んだ配線４が伸びる（曲がり部４１が伸びる）。これにより、ライト固定バンド１の装着時に配線４に作用する負担を低減することができ、配線４の断線を防止することができる。
【００３３】
ヘルメット６に装着されたライト固定バンド１のバンド本体２は伸びた状態にあるので、ヘルメット６は、バンド本体２の復元力により外側からバンド本体２で締め付けられる。ここで、バンド本体２の表面のうち、ヘルメット６に接触する接触面２ａが滑り防止素材からなるので、この締め付け状態で、ヘルメット６の外周面６１と、バンド本体２の接触面２ａとの摩擦力を高めることができる。この結果、ライト固定バンド１およびこれに係止されたヘッドライト７を、ヘルメット６に安定して装着することができる。
【００３４】
さらに、図３に示すように、バンド本体２には、バンド本体２の長さ方向に沿って、複数の発光体３が配置されているので、ヘルメット６にライト固定バンド１が装着された状態で、ヘルメット６の側面および後面に、発光体３を配置することができる。
【００３５】
このような結果、ヘルメット６の使用時には電源部５から、配線４を介して各発光体３に電力を供給することにより、各発光体３を点灯させることができる。この発光体３の点灯より、ヘルメット６を装着した作業者の位置を、ヘルメット６の側面および後面からも簡単に確認することができる。
【００３６】
図２（ａ）に示すように、本実施形態では、発光体３および配線４を、２つの帯状部材２１，２２で挟み込むことにより、その位置を固定したが、例えば、以下の図２（ｂ），図２（ｃ）に示す変形例の如く、発光体３および配線４を配置してもよい。
【００３７】
例えば、図２（ｂ）の変形例では、バンド本体２は、一方の帯状部材２１のみで構成されており、バンド本体２の露出面２ｂに、発光体３および配線４が配置されている。バンド本体２には、曲がり部４１により弛み代を有した配線４が配置されており、配線４は、縫い糸などの取着材４２によりバンド本体２の露出面２ｂ側に取着されている。ここで、ヘルメット６に装着する際にバンド本体２が伸縮するため、取着材４２をバンド本体２の幅方向に沿って配線４の曲がり部４１をわたすようにして、配線４はバンド本体２に取着されている。
【００３８】
さらに、図２（ｃ）の変形例では、バンド本体２の露出面２ｂを含む他方の帯状部材２２に、配線４に接続された発光体３を露出面２ｂ側に挿通する貫通孔２２ａが形成されている。これにより、他方の帯状部材２２に光透過性を有した素材を用いなくても、発光体３を露出面２ｂ側に発光させることができる。なお、図２（ｃ）では、円形状の貫通孔２２ａを設けたが、例えば、バンド本体２の長さ方向に沿って長く伸びた長孔であってもよい。
【００３９】
〔第２実施形態〕
図４は、本考案の第２実施形態に係るライト固定バンド１Ａの模式的斜視図である。図５（ａ）は、図４に示すライト固定バンド１Ａの発光体３の取付け状態を説明するための模式的斜視図であり、図５（ｂ）は、図５（ａ）に示す発光体３の取付け状態の変形例を示した図である。図６は、図４に示すライト固定バンド１Ａをヘルメット６に装着した状態を示した模式的斜視図である。
【００４０】
第２実施形態に係るライト固定バンド１Ａが、第１実施形態のものと相違する点は、バンド本体２Ａの構造および発光体３の配置状態である。したがって、第１実施形態と同じ構成については、同じ符号を付してその詳細な説明を省略する。
【００４１】
本実施形態では、バンド本体２Ａは、２つの帯状部材２１，２２Ａにより構成されている。一方の帯状部材２１は、第１実施形態と同じである。バンド本体２Ａの端部のヘルメット６と接触する接触面２ａには、面ファスナ２７が取付けられている。バンド本体２Ａの露出面を有する他方の帯状部材２２Ａは、不織布などの起毛状の繊維シートであり、一方の帯状部材２１の伸縮に追従可能な素材からなる。
【００４２】
さらに、本実施形態では、他方の帯状部材２２Ａの起毛状の表面（すなわちバンド本体２Ａの露出面２ｂ）に、発光体３および配線４が配置されている。発光体３は、バンド本体２Ａのうち、ヘッドライト７が取付けられる取付け部２９の両側から、バンド本体２Ａの両端に向かって、複数配置されている。
【００４３】
より具体的には、本実施形態では、取付け部２９の両側に２つの電源部５が配置されており、各電源部５からバンド本体２Ａの端部に向かって、配線４を介して複数の発光体３が配置されている。
【００４４】
図５（ａ）に示すように、本実施形態でも、配線４は、曲がり部４１を形成することにより弛み代を有している。バンド本体２Ａの露出面２ｂ（起毛状の繊維が露出した表面）には、発光体３および配線４が配置されている。配線４は、第１実施形態の変形例と同様に（図２（ｂ）参照）、縫い糸などの取着材４２によりバンド本体２Ａの露出面２ｂ側に取着されている。また、第１実施形態の変形例（図２（ｃ）参照）と同様に、発光体３を貫通孔２２ａに挿通してもよい（図５（ｂ）参照）。
【００４５】
このように構成されたライト固定バンド１Ａを、ヘルメット６に装着する作業を以下に説明する。まず、図４に示す状態から、バンド本体２Ａの取付け部２９を、ヘッドライト７の係止爪７４，７４に係止することにより、ヘッドライト７を、バンド本体２Ａに取付ける。
【００４６】
バンド本体２Ａをその長さ方向に沿って伸ばした状態で、ヘルメット６の外周面６１に巻き付けて、バンド本体２Ａの面ファスナ２７を、他方の帯状部材２２Ａの起毛状の表面に接合する。これにより、ヘルメット６に装着されたライト固定バンド１Ａのバンド本体２Ａは伸びた状態にあるので、ヘルメット６は、復元力が作用したバンド本体２Ａにより外側から締め付ける。
【００４７】
第１実施形態と同様に、バンド本体２Ａは、ヘルメット６に接触する接触面２ａに滑り防止素材を有しているため、接触面２ａとヘルメット６の外周面６１との間の摩擦力を高めることができる。これにより、ライト固定バンド１Ａおよびこれに係止されたヘッドライト７を、ヘルメット６に安定して装着することができる。
【００４８】
本実施形態では、図６に示すように、バンド本体２Ａには、取付け部２９を挟んで、各電源部５からバンド本体２Ａの端部まで、バンド本体２Ａの長さ方向に沿って、複数の発光体３が配置されている。これにより、ヘルメット６にライト固定バンド１Ａが装着された状態で、ヘルメット６の側面および後面に、発光体３を配置することができる。
【００４９】
以上、本考案の実施の形態を用いて詳述してきたが、具体的な構成はこの実施形態及び実施例に限定されるものではなく、本考案の要旨を逸脱しない範囲における設計変更があっても、それらは本考案に含まれるものである。
【００５０】
本実施形態では、発光体に電力を供給する電源部を設けたが、例えば、発光体の電力をヘッドライトの電源から供給してもよい。さらに、第２実施形態では、バンド本体の取付け部を挟むように、２つの電源部を配置したが、１つの電源部から発光体に電力を供給してもよい。例えば、バンド本体の一端に電源部を配置し、電源部が配置されえたバンド本体の一端側から、ベルト他端側まで、取付け部を除く部分に、発光体を配置してもよい。
【符号の説明】
【００５１】
１，１Ａ：ライト固定バンド、２，２Ａ：バンド本体、２ａ：接触面、２ｂ：露出面、２１，２２，２２Ａ：帯状部材、２３，２４：係止部、２５：長さ調整具、２７：面ファスナ、２９：取付け部、３：発光体、４：配線、４１：曲がり部、４２：取着材、５：電源部、６：ヘルメット、６１：外周面、７：ヘッドライト、７１：光源、７２：本体、７３：取付け具、７４：係止爪
【図１】
0003204166.tif 000003
【図２】
0003204166.tif 000004
【図３】
0003204166.tif 000005
【図４】
0003204166.tif 000006
【図５】
0003204166.tif 000007
【図６】
0003204166.tif 000008